(57)【特許請求の範囲】
【請求項１】
橋梁添架または洞道内に気中布設されているパイプタイプＯＦケーブルの鋼管にエポキシガラステープ巻回層を備えたパイプタイプＯＦケーブル線路であって、
前記鋼管に、予め筒状に曲加工された鋼板を被せてスリーブを形成し、このスリーブにエポキシガラステープ巻回層を設けたのち、このスリーブを横移動させて前記鋼管の所定位置にセットし、この鋼管に巻くエポキシガラステープ巻回層と前記スリーブのエポキシガラステープ巻回層とを一体とすることによって防災処置されていることを特徴とするパイプタイプＯＦケーブル線路。
【請求項２】
請求項１に記載のパイプタイプＯＦケーブル線路において、前記エポキシガラステープ巻回層の上に保護テープ巻回層を設けていることを特徴とするパイプタイプＯＦケーブル線路。
【発明の詳細な説明】
【０００１】
【発明の属する技術分野】
本発明はパイプタイプＯＦケーブル（以下ＰＯＦケーブルという）の防災対策に関し、特に橋梁添架または洞道内に気中布設されたＰＯＦケーブル線路の鋼管外周に施す防災対策に関する。
【０００２】
【従来の技術】
電力ケーブルの火災に対する防災処置が種々採用されている。例えば、電力ケーブルを防災トラフ内に隔離し、トラフの難燃性と気密性とによってケーブルの地絡時に発生するケーブルの火災が拡がるのを防止している。
【０００３】
一方、ＰＯＦケーブルは、図７の断面図に示したような構造になっている。すなわち、鋼管７の中に単位ケーブル１０の３条を引き入れ、鋼管７内に絶縁油６を充満せしめて構成される。単位ケーブル１０は、ケーブル導体１の周囲に絶縁紙、半合成紙を巻回してなる絶縁体３および補強層、防湿層４と、その上に巻きつけたスキッドワイヤ５とから構成されている。
【０００４】
ＰＯＦケーブルについては、上記に説明したように、ケーブルが鋼管内に在ることから、また、ＰＯＦケーブルは直埋布設が多いこともあって、防災処置は特に取られていない。
【０００５】
ただ、ＰＯＦケーブルを橋梁添架する場合、外部火災の延焼防止のため防災対策が求められている。
【０００６】
【発明が解決しようとする課題】
従来のＰＯＦケーブルを橋梁添架する場合の防災対策として、ＰＯＦケーブル鋼管防食層上に長さ方向の部分的に耐火処理部が設けられていた。耐火処理部は、例えば、セラミックファイバー巻回層（厚さ１０ｍｍ）の上に二つ割りＦＲＰパイプを被せた構造のものである。
【０００７】
万一、鋼管内のケーブルに地絡が発生した場合、地絡容量によっては、鋼管に穴があき、漏油が発生することになる。例え上記の耐火処理部において地絡が発生し鋼管に穴があいた場合でも上記のセラミックファイバー巻回層では鋼管内の油圧に耐えきれず漏油が発生することになる。これは防災上問題である。
【０００８】
本発明は、上記した問題を解決されたＰＯＦケーブル線路を提供するものである。
【０００９】
【課題を解決するための手段】
上記問題に鑑みて、本発明は、橋梁添架または洞道内に気中布設されているパイプタイプＯＦケーブルの鋼管にエポキシガラステープ巻回層を備えたパイプタイプＯＦケーブル線路であって、前記鋼管に、予め筒状に曲加工された鋼板を被せてスリーブを形成し、このスリーブにエポキシガラステープ巻回層を設けたのち、このスリーブを横移動させて前記鋼管の所定位置にセットし、この鋼管に巻くエポキシガラステープ巻回層と前記スリーブのエポキシガラステープ巻回層とを一体とすることによって防災処置されていることを特徴とするものである。
【００１１】
また、上記パイプタイプＯＦケーブル線路において、前記エポキシガラステープ巻回層の上に保護テープ巻回層を設けていることを特徴とするものである。
【００１７】
【発明の実施の形態】
以下図面を参照しながら本発明の実施の形態を詳細に説明する。
【００１８】
図１は本発明に係るＰＯＦケーブル線路の断面を示したものである。図において、ＰＯＦケーブルは、５分割圧縮導体１の周囲に主として絶縁紙からなる絶縁層３および補強層と防湿層４を巻回して、その上にスキッドワイヤ５を巻きつけて単位ケーブル１０とし、この単位ケーブル１０の３本を鋼管の中に引き入れて鋼管７内に絶縁油６が圧流されている。なお、２は導体遮蔽のカーボン紙巻回層である。
【００１９】
本発明は、鋼管７の防食層８の上に設けられた防災層１１に特徴を有する。すなわち、防災層１１は、鋼管防食層８の上から、エポキシガラステープを１ｍｍ以上の所定厚さに巻き付け（ＥＧ層）（通常２〜５ｍｍの所定の厚さに巻きつける）、さらにその上から、押さえの保護テープを巻き付けたものである。
【００２０】
防災層１１の材料の仕様を表１に示す。
【００２１】
【表１】
0003639209.tif 000002
次に、本発明を橋梁添架されているＰＯＦケーブルに適用した場合の実施形態について説明する。
【００２２】
橋梁添架されているＰＯＦケーブルには、鋼管防食層の上に上記のエポキシガラステープの巻付け可能なところ（一般部）と、橋横桁貫通部等の巻付けが不可能なところ（橋桁部）とがあり、また、長さ方向の一部に既設耐火処理部がある。
【００２３】
先ず一般部の実施形態について説明する。図２は一部断面を示す一般部の実施形態の説明図である。
【００２４】
防災層１１を形成する作業手順は以下のとおり行う。
【００２５】
▲１▼鋼管防食層８の表面を清掃する。
【００２６】
▲２▼エポキシ樹脂をよくかぎまぜる。
【００２７】
▲３▼鋼管側にエポキシ樹脂をよく塗りつけ、ガラステープを巻く（１ｍｍ以上の所定厚さまでくり返し行なう）。
【００２８】
▲４▼押さえの保護テープを巻きつける（１／２ラップ１回巻）。
【００２９】
なお、図２において、２１は鋼管継手のカラーであり、２２はカラー２１をまたいで両鋼管に被せられたシュリンクチューブである。防災層１１はこのシュリンクチューブ２２の上に形成する。また、２５は支持ローラであり、このローラ支持部は塩ビ管２３をステンレスバンド２４で固定して防災層１１は保護されている。
【００３０】
次に耐火処理部に対する本発明の実施形態について説明する。既設耐火処理部は耐火材（セラミックファイバー）＋ＦＲＰパイプ二つ割りの２層構造になっている。
【００３１】
この耐火処理部での防災層を形成する手順は以下のとおりである。
【００３２】
▲１▼ＦＲＰパイプ二つ割りを固定しているＳＵＳバンドを切断し、ＦＲＰパイプを取外す。
【００３３】
▲２▼耐火材の表面を清掃する。
【００３４】
▲３▼エポキシ樹脂を電動撹拌機でよくかきまぜる（エポキシは２液性で、混合すると徐々に硬化するため、作業進行に合わせて作る）。
【００３５】
▲４▼耐火材側にエポキシ樹脂をよく塗りつけ、ガラステープを巻く（１ｍｍ以上の所定厚さまでくり返し行なう）。
【００３６】
▲５▼押さえの保護テープを巻きつける。
【００３７】
次に橋桁部の本発明の実施形態について説明する。
【００３８】
ＰＯＦケーブルの橋横桁貫通部は、すき間が少なくＥＧ層加工は困難であるため、スリーブ方式により前記貫通部の手前でスリーブ上にＥＧ層加工し、そのスリーブを横移動させて貫通部にセットし、両側の鋼管上ＥＧ層をこのスリーブ上のＥＧ層の上にラップさせて一体とする（図３参照）。
【００３９】
スリーブは、図４に示すように、予め曲げ加工されている鋼板４１を、図３に示すように、スペースのあるところでＰＯＦケーブル鋼管の周囲に被せ、図４に示すように、鋼板４１の合わせ目をテープ接着４２して円筒にしたものである。
【００４０】
次に、本発明のＰＯＦケーブル鋼管ＥＧ層の端末部について説明する。
【００４１】
万一、地絡により鋼管に穴があいた場合、油はＥＧ層内に充満し、鋼管内の圧力（ｍａ×≒１５ｋｇ／ｃｍ２）と同じまで上昇する。ＥＧ層自体の漏れは無いが、ＥＧ層の端末部では鋼管の防食層上にＥＧ層を巻いた状態では、シール性が悪くＥＧ層の端末から漏油してしまう。
【００４２】
このため、本発明では、端末部は防食層を剥がし、原管に直接ＥＧ層を接着させ、ＥＧ層の上から端末押さえ金具で補強することにしたものである。鋼管穴から漏れた油はＥＧ層内に密封されることになる（ＥＧ層厚さ４ｍｍの場合、１５ｋｇ／ｃｍ２×２４時間漏れないことが実証試験で確認済）。
【００４３】
端末部の処理作業方法は次のとおり行う（図５，図６参照）。
【００４４】
▲１▼鋼管の防食層（ポリエチレン焼付）を３００ｍｍ程度除去する。
【００４５】
▲２▼防食層剥し部分は、ＥＧ層厚さ６ｍｍ以上とする。防食層剥し部分はＥＧ層が防食層となるが、防食性能は、エポキシ＋ガラステープは優れており、ポリエチレンと同等異常であり問題ない。
【００４６】
▲３▼ＥＧ巻を行う（作業方法は本管部に同じ）。
【００４７】
鋼管防食層とはラップさせ、防食性能を確保する。
【００４８】
▲４▼ＥＧ層が硬化する前に端末押さえ金具をＥＧ層に被せボルト締で固定する。端末押さえ金具を取付ける目的は内圧によるＥＧ層と原管との剥離を防止するものである。
【００４９】
以上、橋梁添架されているＰＯＦケーブルについて述べたが、洞道内に気中布設されているＰＯＦケーブルにも同様の実施形態で実施出来る。
【００５０】
【発明の効果】
上述した本発明によれば、万一、ＰＯＦケーブル鋼管内で地絡が発生し鋼管に穴があいたとしても、ケーブル外に漏油が発生することはない。
【００５１】
よって、防災上安全性が大巾に向上する。
【図面の簡単な説明】
【図１】本発明に係るＰＯＦケーブルの断面図である。
【図２】本発明に係るＰＯＦケーブル線路の部分破断側面図である。
【図３】本発明に係るＰＯＦケーブル鋼管上にスリーブを用いてＥＧ層を形成する場合の手順説明図である。
【図４】図３のスリーブ形成説明図である。
【図５】本発明に係るＰＯＦケーブル線路におけるＥＧ層端末部の説明図である。
【図６】図５のＥＧ層端末部における端末押さえ金具を示す図である。
【図７】従来のＰＯＦケーブルの断面図である。
【符号の説明】
６  絶縁油
７  鋼管
８  鋼管防食層
１０  ＰＯＦケーブルの単位ケーブル
１１  防災層
２１  鋼管継手カラー
２２  シュリンクチューブ
２３  塩ビ管
２４  ステンレスバンド
２５  支持ローラ
５１  端末押さえ金具
【図１】
0003639209.tif 000003
【図２】
0003639209.tif 000004
【図３】
0003639209.tif 000005
【図４】
0003639209.tif 000006
【図５】
0003639209.tif 000007
【図６】
0003639209.tif 000008
【図７】
0003639209.tif 000009